(57)【要約】本発明は、ディスク（Ｄ）に対するディスクドライブユニットに係る。当該ディスクドライブユニットは、ベース部によって回転可能に支持され、モータ（６）によって駆動可能であるディスク（Ｄ）に対するターンテーブル（２）を有する。該モータは、ベース部上に取り付けられるステータ（７）、及びターンテーブルに対して接続されるロータ（５）を有する。クランプ機構（９，１１）は、ディスクをターンテーブル上に堅固に保持するよう与えられる。吸引機構（９，１０）は、ステータとローラとの間に軸方向引力をもたらす。クランプ及び吸引機構（９，１０，１１）は、ステータ（７）に面する側部上でターンテーブル（２）に対して取り付けられる単一の環状マグネット（９）を有する。結果として、マグネットは、損傷及び異物から保護され、十分な引力を生み出すようバックヨークを必要としない。これは、容易にバランスが取られるターンテーブルを費用効率よく製造し得ることに繋がる。
2008511944.tif 000002
【特許請求の範囲】
【請求項１】
ディスクを読み込む及び／又はディスクに書き込む装置において使用されるディスクに対するディスクドライブユニットであって：
ベース部と；
ターンテーブルと；
クランプ機構及び吸引機構と、
を有し、
前記ターンテーブルは、上方にディスクを支持するよう適合され、前記ベース部によって回転可能に支持され、前記ベース部上に取り付けられるステータ及び前記ターンテーブルに対して接続されるロータを有するモータによって駆動可能であり、前記ロータ及びステータは、前記ターンテーブル上で駆動モーメントをもたらすようマグネット及びコイル部材を有し、
前記クランプ機構は、前記ディスクを前記ターンテーブル上で堅固に保持し、前記吸引機構は、前記ステータと前記ロータとの間で軸方向引力をもたらし、
前記クランプ及び吸引機構は、前記ターンテーブルに対して取り付けられる共通マグネットを有する、
ディスクドライブユニット。
【請求項２】
前記共通マグネットは、前記ステータに面する前記ターンテーブルの側部に対して取り付けられる、
請求項１記載のディスクドライブユニット。
【請求項３】
前記マグネットは、環状であり、前記ターンテーブルにおける第１の環状凹部において与えられる、
請求項１又は２記載のディスクドライブユニット。
【請求項４】
前記マグネットは、少なくともその外周上で前記ターンテーブルに対して、また望ましくは前記ターンテーブルと接触する全てのその側部上で取り付けられる、
請求項１又は２記載のディスクドライブユニット。
【請求項５】
前記マグネットは、接着剤を用いて前記ターンテーブルに対して取り付けられる、
請求項１又は２記載のディスクドライブユニット。
【請求項６】
前記ターンテーブルは、前記ステータからみて外方を向く前記ターンテーブルの前記側部において第２の環状凹部を備えられ、
前記第２の環状凹部は、前記第１の環状凹部と少なくとも部分的に軸方向に揃えられ、前記第２の凹部と前記第２の凹部との間で前記ターンテーブルの放射状の薄壁を出る、
請求項４記載のディスクドライブユニット。
【請求項７】
前記薄壁の厚さは、約０．２−０．５ｍｍである、
請求項６記載のディスクドライブユニット。
【請求項８】
前記ターンテーブルからみて外方に向く前記ディスクの一側上に与えられるよう適合される、磁化可能なクランパを有し、
前記クランパは、該上部に位置付けられる際前記ディスクに面するその側部上に環状の突起を有し、前記環状の突起は、前記ディスクにおいて中央開口を介して前記第２の環状凹部へと突出するよう適合されるため、前記環状突起と前記第２の環状凹部の下部との間には、極小さな空間が残される、
請求項６記載のディスクドライブユニット。
【請求項９】
前記ターンテーブルは、前記マグネットの位置において閉鎖壁を備えられる、
請求項１又は２記載のディスクドライブユニット。
【請求項１０】
前記マグネットは、完全に前記ターンテーブル内に位置付けられる、
請求項１又は２記載のディスクドライブユニット。
【請求項１１】
ディスクを読み込む及び／又はディスクに書き込む装置において使用されるディスクに対するドライブユニットであって：
ベース部と；
上部でディスクを支持するよう適合され、前記ベース部によって回転可能に支持されるターンテーブルと；
前記ベース部上に取付けられるステータと前記ターンテーブルに対して接続されるロータ前記ターンテーブルを駆動するモータとを有する、前記ターンテーブルを駆動するモータと；
前記ディスクを前記ターンテーブル上で堅固に保持し、前記ターンテーブルに対して接続されるマグネット手段を有する、クランプ機構と、
前記ステータと前記ロータとの間に軸方向引力をもたらし、前記ターンテーブルに対して接続される磁石手段を有する、吸引機構と、
を有し、
前記ロータ及び前記ステータは、前記ターンテーブル上で駆動モーメントをもたらすよう磁石及びコイル部材を有し、
前記吸引及びクランプ機構の前記マグネット手段は、前記プラスチックのターンテーブルに対して直接取り付けられ、前記ターンテーブルの回転の前記軸の周囲に同心円状に延在する、
ディスクドライブユニット。
【請求項１２】
前記マグネットは、前記ステータに面する前記ターンテーブルの前記側部に対して取り付けられる、
請求項１１記載のディスクドライブユニット。
【請求項１３】
請求項１乃至１２のうちいずれか一項記載のディスクドライブと、読込み及び／又は書込みユニットとを有する、
装置。
【発明の詳細な説明】
【技術分野】
【０００１】
本発明は、ディスクを読み込む及び／又はディスクに書き込む装置において使用されるディスクに対するディスクドライブユニットに係る。当該ユニットは、上部においてディスクを支持するよう適合されるターンテーブル、ターンテーブル上で堅固にディスクを保持するクランプ機構、及び、ターンテーブル駆動モータのロータとステータとの間で軸方向引力をもたらす吸引機構を有する。クランプ及び吸引機構は、ターンテーブルに対して接続されるマグネット手段を有する。
【背景技術】
【０００２】
上述された種類のディスクドライブユニットは、ＪＰ２００３−２９９３０２（特許文献１）より既知である。該文献の第１の実施例では、ターンテーブルは、バックヨークを介して上方側部からターンテーブルに対して固定される環状のクランプマグネットを有する。このクランプマグネット及びバックヨークは、クランプ及び吸引機構としての役割をなす。第２の実施例では、４つの円筒形のマグネットが与えられる。該マグネットは、ターンテーブルを介して垂直方向に延在し、同一の機能を実行するようターンテーブルの回転軸の周囲に分配される。
【特許文献１】ＪＰ２００３−２９９３０２
【発明の開示】
【発明が解決しようとする課題】
【０００３】
本発明は、改良されたディスクドライブユニットを与える、ことを目的とする。
【課題を解決するための手段】
【０００４】
本発明の第１の態様において、ディスクドライブユニットは、請求項１の特徴に従って構成される。当該ユニットにおいては、所望される磁力は効率的に得られる。望ましくは、共通マグネットは、ターンテーブルに対してステータに面するその側部上に取り付けられる。ステータに面するターンテーブルの該側部上に共通マグネットをおくことにより、マグネットは、腐食及び異物から保護される。更には、ターンテーブルにおけるバックヨークを必要とすることなくクランプ及び吸引機能に対して十分な引力を作り出すことは、可能である。
【０００５】
請求項３に従った実施例では、ターンテーブル内のマグネットの一体化は、特には請求項４の特性もある場合に、ターンテーブルの剛性を与える。
【０００６】
ターンテーブルにおける剛性なマグネットの一体化が、ターンテーブルの揺らぐ正確さ（ｗｏｂｂｌｅ  ａｃｃｕｒａｃｙ）を犠牲にすることなくマグネットの位置におけるプラスチックのターンテーブルの厚さを最低限にし得るため、この実施例は、請求項６の特性を可能にする。この小さな壁の厚さによって、マグネットとターンテーブルの他側上のクランパ構造との間の空隙が低減され、所望のクランプ力は、マグネットの位置においてターンテーブルの壁の厚さを変えることによって得られ得る。
【０００７】
本発明の更なる一態様では、該ディスクドライブは、請求項１１の特性を有する。単一のマグネットを有するこの配置は、バックヨークを要求することなく、容易にバランスがとれるターンテーブルに繋がり得、単一のマグネットが有効に利用される。このため、ターンテーブルのより安価な製造が可能となる。
【発明を実施するための最良の形態】
【０００８】
本発明のこれらの及び他の態様は、以下において実施例を参照して明らかに説明される。
【０００９】
図面は、ディスクドライブユニットの一実施例を示す。当該ディスクドライブユニットは、光ディスプレイ又は同様のもの等のディスクＤから読み込む及び／又はディスクＤに書き込む装置において使用され得る。当該ディスクドライブユニットが使用される装置は、オーディオ又はビデオプレーヤ及び／又はレコーダ、又はデータディスクリーダ及び／又はライタ等の携帯型又は固定型の装置であり得る。
【００１０】
図１及び図２中に示される通り、ディスクドライブユニットは、ディスクドライブユニットを支持するベース部１を有する。このベース部１は、回転スピンドル３を介してベース部１によって回転可能に支持されるターンテーブル２を担持し、回転スピンドル３は、ベース部１のベアリングカラム４において回転可能に取り付けられる。ターンテーブル２は、望ましくはプラスチックを有して作られ、回転スピンドル３の自由端に対して取り付けられる。ロータ５は、ターンテーブル２の下方側部に対して取り付けられ、電気モータ６の一部を形成する。この電気モータのステータ７は、ベース部１のカラム４に対して取り付けられ、回転スピンドル３の軸の周囲に分配されるコイルを有する。ロータ５は、駆動トルクを得るようステータ７の電気コイルと協働するロータマグネット８を有する。
【００１１】
本発明によれば、マグネット９は、ターンテーブル２に対して固定され、望ましくはそこに一体にされる。このマグネット９は、軸方向におけるロータの振動を低減するようロータ５とステータ７との間で軸方向引力を得るために、ステータ７のベアリングカラム４の上部上に配置される金属ヨーク１０と協働する。このように、マグネット９は所謂吸引機構の一部である。
【００１２】
更に、マグネット９は、ターンテーブル２上に位置付けられるディスクＤ上に位置付けられる磁化可能な金属クランパ１１と協働して、クランプ機能を実行し、ターンテーブルの回転中にディスクＤを安定させるために、ターンテーブル上にこのディスクＤを堅固にクランプする。
【００１３】
図面、特には図２において示される通り、マグネット９は、回転スピンドル３の軸と一致するマグネット９の軸を有する円環形を有する。環状マグネット９の内周及び外周は円形であり、磁石の断面は、望ましくは厚さが幅より小さい矩形である。磁石９は、ステータ７に面する側部上でターンテーブル２に対して取り付けられる。この目的に対して、ターンテーブル２は、マグネット９に対して補完的に形成される第１の環状凹部１２を有し、マグネット９はこの凹部１２へとしっかりと適合する。マグネット９は、ターンテーブル２と接触するマグネットの３つの側部上に与えられる接着剤又は同様のものを用いてターンテーブル２に対して固定されるため、マグネット９は、ターンテーブルの構造の一部を形成する。
【００１４】
ステータ７からみて外方を向くマグネット９の側部上で、ターンテーブル２は、ターンテーブル２の対向する側部上で第１の凹部１２と第２の凹部１４との間に残される放射状の薄壁１３のみを示す。この凹部１４は、第１の凹部１２と軸方向にある程度位置合わせされ、金属クランパ１１が磁石９に対して極めて接近して配置され得るよう、クランパ１１の環状突起１５を受けるよう適合される。これは、ディスクＤ上でクランパ１１をクランプする十分な引力を得るよう行われる。これを得るために、薄壁１３の厚さＡは、例えば約０．２−０．５ｍｍの小ささであり、使用されるマグネットの種類及び所望されるクランプ力に依存する。クランプ位置において、ターンテーブル２における凹部１４の下部と環状突起の上部との間には、小さな間隔のみが残される。凹部１４は、ディスクＤを介して突出するターンテーブルのハブ部において、該ディスクがターンテーブル上に位置付けられる際に作られる。
【００１５】
ターンテーブル２におけるマグネット９の一体化により、バックヨーク及びターンテーブルは、ターンテーブル２の揺らぐ正確さを犠牲にすることなくマグネットの位置において薄さを維持し得る必要が無い。クランプ機構及び吸引機構に対して共通のマグネットを使用することによって、スピンドルモータにおけるＢ．Ｏ．Ｍ．の低減が得られる。接着剤を用いて単一のマグネットをプラスチックのターンテーブルに対して直接取り付けることは、容易である。磁気回路は、閉磁路を形成する金属ステータヨーク１０とクランパ１１との間のマグネットの位置により、より効果的になり得る。マグネット９の体積が２つの別個のマグネットより大きいため、ステータとロータとの間の引力は、より高い。これは、モータの設計上の耐性及び組立体を容易にする。
【００１６】
現時点で望ましい実施例において、ディスクＤは光データディスクである。しかしながら、本発明は全ての種類のディスクに対しても使用され得る、ことは理解されるべきである。該種類とは、例えば強誘電体、磁気、磁気光学、光学、近接場、アクティブ電荷蓄積ディスク、あるいは、これらの技術又は他の読込み及び／又は書込み技術の組合せを使用する他のディスクである。
【００１７】
明細書及び請求項中、単数形の表現はその複数の存在を除外せず、「有する」という表現は、更なる要素又は段階を除外しない、ことは留意される。請求項中の参照符号は、その範囲を制限するものとして解釈されるべきではない。単一のプロセッサ又はユニットは、添付の請求項中の複数の要素の機能を満たし得る。
【００１８】
本発明は、図面中に示される上述された実施例に制限されず、添付の請求項の範囲から逸脱することなく複数の方途において変更され得る。例えば、マグネットの位置及び形状は変えられ得る。更には、請求項中に記載される特徴の多種の組合せは、本発明の範囲内で可能である。
【図面の簡単な説明】
【００１９】
【図１】本発明の一実施例に従ったディスクドライブユニットの半分の垂直断面図である。
【図２】図１中に示される本発明に従ったディスクドライブユニットの実施例の分解側面図である。
【図１】
2008511944.tif 000003
【図２】
2008511944.tif 000004
【国際調査報告】
2008511944.tif 000005
2008511944.tif 000006
2008511944.tif 000007